(57)【要約】【課題】画像表示部や鏡胴を小さくすることなく、装置全体の小型化及び薄型化を可能とした携帯性に優れたカメラを提供すること。【解決手段】撮像光学系と、鏡胴と、撮像素子と、撮像素子取付部材と、前記撮像素子取付部材を保持する撮像素子保持手段と、プリント基板と、を有する撮像装置と、被写体画像を表示する表示装置と、を備えたカメラにおいて、前記撮像素子取付部材と前記表示装置とは、光軸方向から見て重ならない位置関係で、かつ、光軸に直角な水平方向から見て重なる位置関係に配設され、前記撮像素子取付部材は、前記撮像素子を固定するための第１の取付面と、前記撮像素子取付部材を前記撮像素子保持手段に固定するための第２の取付面とを備え、前記第１の取付面と前記第２の取付面とは異なる平面上にあることを特徴とするカメラ。【選択図】        図２
2004357122.tif 000002
【特許請求の範囲】
【請求項１】
被写体光を導く撮像光学系と、前記撮像光学系を保持する鏡胴と、前記撮像光学系により結像された被写体画像を光電変換する撮像素子と、前記撮像素子の一方の面に当接し該撮像素子を固定する撮像素子取付部材と、前記鏡胴に一体的に固設され前記撮像素子取付部材を保持する撮像素子保持手段と、前記撮像素子に取り付けられ前記撮像素子と電気的に接続されるプリント基板と、を有する撮像装置と、
前記撮像素子から得られた信号に基づく被写体画像を表示する表示装置と、
を備えたカメラにおいて、
前記撮像素子取付部材と前記表示装置とは、光軸方向から見て重ならない位置関係で、かつ、光軸に直角な水平方向から見て重なる位置関係になるように配設し、
前記撮像素子取付部材は、前記撮像素子を固定するための第１の取付面と、前記撮像素子取付部材を前記撮像素子保持手段に固定するための第２の取付面とを備え、前記第１の取付面と前記第２の取付面とは異なる平面上にあることを特徴とするカメラ。
【請求項２】
前記撮像素子取付部材の前記第２の取付面には複数の取付穴が形成され、前記複数の取付穴の内から前記表示装置の光軸側端面に最も近い距離に位置する二つの取付穴を選んだとき、二つの取付穴のそれぞれの中心を通る直線が、光軸方向から見て前記撮像素子に重なる位置に配設されていることを特徴とする請求項１に記載のカメラ。
【請求項３】
前記撮像素子取付部材は、２カ所以上の曲げ部を有する板状部材で形成されると共に、前記第１の取付面と前記第２の取付面とが略平行に形成されていることを特徴とする請求項１または２に記載のカメラ。
【請求項４】
前記撮像素子に取り付けられたプリント基板は、光軸に直角な方向から見て、前記撮像素子取付部材の前記第１の取付面と前記第２の取付面との中間に配設されていることを特徴とする請求項１乃至３のいずれか１項に記載のカメラ。
【発明の詳細な説明】
【０００１】
【発明の属する技術分野】
本発明は、撮像素子を備えた撮像装置と被写体画像を表示する表示装置とを備えたカメラに関し、特に、小型化及び薄型化を図ったカメラに関する。
【０００２】
【従来の技術】
従来より、被写体画像を撮像素子により光電変換し、この光電変換されたデータを処理し、画像として記録用のメモリに記録する所謂デジタルカメラが広く普及しつつある。
【０００３】
これらデジタルカメラにおいては、従来のフィルムカメラに比べ、パトローネ室、フィルム巻き取り軸等のスペースが不要なことと、撮像素子の画面サイズが極端に小さいことが相まって、小型化及び薄型化が急速に進んでいる。
【０００４】
これら小型化及び薄型化に関する技術開発への取り組みとして、撮像素子及びプリント基板の組み付けに関わる寸法の縮小に関し従来より種々の工夫がなされてきた。
【０００５】
例えば、撮像装置のプリント基板を、撮像光学系に対する撮像素子の取付位置を位置決めする撮像素子取付部材と、撮像素子との間に配置することにより、プリント基板の厚さ方向の組み付け寸法を縮小する技術が開示されている（例えば、特許文献１参照）。
【０００６】
また、撮像素子（ＣＣＤ）と被写体画像を表示する表示装置（ＬＣＤ）を有するカメラにおける厚みを薄くする技術が開示されている（例えば、特許文献２参照）。
【０００７】
【特許文献１】
特開平１１−２６１９０４号公報（第４〜５頁、第２図）
【０００８】
【特許文献２】
特開平１０−３３６４９６号公報（第３〜４頁、第４図）
【０００９】
【発明が解決しようとする課題】
デジタルカメラにおいては、近年、正面面積のみならず、前述のように、厚みを薄くして携帯性を向上させたカメラが種々開発されている。
【００１０】
デジタルカメラには、撮像光学系と撮像素子を含む撮像装置、エレクトリックフラッシュユニット、ファインダユニット、例えばＬＣＤに代表される画像表示部（表示装置）、及び、駆動制御のための電子部品を実装した基板類が主要な構成ユニットとして用いられているが、これらのユニットの内、厚み方向に最もスペースを必要としているのは撮像装置であり、撮像装置の厚み方向の寸法がカメラの厚みを決定しているのが現状である。
【００１１】
更に、正面面積に影響を及ぼすユニットとしては、鏡胴、画像表示部、エレクトリックフラッシュユニット、ファインダユニット、等があるが、これらのユニットの内、面積の大きいものとしては画像表示部と鏡胴とが挙げられる。
【００１２】
図１０は従来のカメラの撮像装置（特に撮像素子取付部材）と画像表示部との位置関係を説明するための背面図である。図において、平板状の撮像素子取付部材１６に固設された撮像素子１５は、鏡胴（固定胴）４１に保持された撮像光学系により結像された被写体像を光軸上で受ける位置に配設される。プリント基板１７は撮像素子１５のリードＬＥに半田付けにより接合され、撮像素子１５とプリント基板１７との間に撮像素子取付部材１６が挟まれた配置となる。一体となった撮像素子１５、撮像素子取付部材１６、及びプリント基板１７は、撮像素子取付部材１６に形成した取付穴（不図示）を介してネジＮにより固定胴４１に固定された地板の撮像素子保持手段である撮像素子保持部（不図示）に取り付けられる。画像表示部１００は、カメラの厚みを薄くするため、光軸方向から見て撮像素子取付部材１６やプリント基板１７と重ならない位置に配設されている。
【００１３】
図から解るように、カメラ全体の大きさ（正面面積）を小さくするには、画像表示部を小さくするか、画像表示部１００を出来るだけ固定胴４１中心（光軸）に近づける必要がある。然るに、画像表示部を小さくし過ぎるとユーザが画像を見る上で問題があり、画像表示部１００の取付位置を光軸に近づけるにも撮像素子取付部材１６やネジＮに制約されて限界がある。
【００１４】
また、撮像素子取付部材の前記撮像素子保持部への取付用のネジ位置を、図１０に示す撮像素子１５の外側の左右方向でなく上下方向に配設すると、撮像素子１５のリードＬＥと撮像素子取付部材１６とが干渉し、撮像素子１５とプリント基板１７との間に撮像素子取付部材１６を配設できないため、光軸方向の厚みが増すことになる。
【００１５】
本発明は画像表示部と撮像装置とを備えたカメラにおいて上記の問題点を解決し、画像表示部や鏡胴を必要以上に小さくすることなく装置全体の小型化及び薄型化を可能とした、携帯性に優れたカメラを提供することを目的とするものである。
【００１６】
【課題を解決するための手段】
上記目的は下記の構成により達成される。
【００１７】
（１）被写体光を導く撮像光学系と、前記撮像光学系を保持する鏡胴と、前記撮像光学系により結像された被写体画像を光電変換する撮像素子と、前記撮像素子の一方の面に当接し該撮像素子を固定する撮像素子取付部材と、前記鏡胴に一体的に固設され前記撮像素子取付部材を保持する撮像素子保持手段と、前記撮像素子に取り付けられ前記撮像素子と電気的に接続されるプリント基板と、を有する撮像装置と、
前記撮像素子から得られた信号に基づく被写体画像を表示する表示装置と、
を備えたカメラにおいて、
前記撮像素子取付部材と前記表示装置とは、光軸方向から見て重ならない位置関係で、かつ、光軸に直角な水平方向から見て重なる位置関係になるように配設し、
前記撮像素子取付部材は、前記撮像素子を固定するための第１の取付面と、前記撮像素子取付部材を前記撮像素子保持手段に固定するための第２の取付面とを備え、前記第１の取付面と前記第２の取付面とは異なる平面上にあることを特徴とするカメラ。
【００１８】
（２）前記撮像素子取付部材の前記第２の取付面には複数の取付穴が形成され、前記複数の取付穴の内から前記表示装置の光軸側端面に最も近い距離に位置する二つの取付穴を選んだとき、二つの取付穴のそれぞれの中心を通る直線が、光軸方向から見て前記撮像素子に重なる位置に配設されていることを特徴とする（１）に記載のカメラ。
【００１９】
（３）前記撮像素子取付部材は、２カ所以上の曲げ部を有する板状部材で形成されると共に、前記第１の取付面と前記第２の取付面とが略平行に形成されていることを特徴とする（１）または（２）に記載のカメラ。
【００２０】
（４）前記撮像素子に取り付けられたプリント基板は、光軸に直角な方向から見て、前記撮像素子取付部材の前記第１の取付面と前記第２の取付面との中間に配設されていることを特徴とする（１）乃至（３）のいずれか１項に記載のカメラ。
【００２１】
【発明の実施の形態】
本発明に係る実施の形態である撮像装置を備えたカメラの構成について図１を参照して説明する。
【００２２】
以下、実施の形態により本発明を詳しく説明するが、本発明はこれに限定されるものではない。
【００２３】
図１は、本発明の撮像装置を備えたズームレンズ搭載のカメラの外観図の一例である。図１（ａ）はカメラ前面の斜視図、図１（ｂ）はカメラ背面の斜視図である。
【００２４】
図１（ａ）において、８１はズーム変倍撮像光学系でありこの後方に本発明の撮像装置が内蔵される。８２はファインダ窓、８３はレリーズ釦、８４はフラッシュ発光部、８６はマイク、８７はストラップ取り付け部、８８は外部機器との接続端子（例えばＵＳＢ端子）である。８９はレンズカバーであり、不使用時は撮像光学系８１は沈胴し、レンズカバー８９をスライドさせることにより、撮像光学系８１、ファインダ窓８２、フラッシュ発光部８４の前面が覆われるように構成されている。
【００２５】
レリーズ釦８３はその１段の押し込み（以後スイッチＳ１のＯＮという）によりカメラの撮影準備動作、即ち焦点合わせ動作や測光動作が行われ、その２段の押し込みにより撮影露光動作が行われる。
【００２６】
図１（ｂ）において、９１はファインダ接眼部、９２は赤と緑の表示ランプであり、ＡＦやＡＥの情報をスイッチＳ１がＯＮされた時、点灯もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００は画像表示部（表示装置）で、画像やその他文字情報等を表示する。画像表示部１００はカメラ本体との位置決めのための位置決め部１０１を備えている。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２７】
図２は撮影時にレンズ鏡胴を望遠端まで繰り出した状態を示す撮像装置の縦断面図であり、図３は非使用時にレンズ鏡胴を沈胴した状態を示す撮像装置の縦断面図である。図１０で説明した従来のカメラの撮像装置と同一の構成を有する部材については同一の符番と名称を用いている。
【００２８】
図において、１１は第１群レンズ、１２は第２群レンズ、１３は第３群レンズ、１４は光学フィルタ（赤外カットフィルタ及びオプチカルローパスフィルタ）である。１５は撮像素子であり、例えばＣＣＤ（Ｃｈａｒｇｅ  ＣｏｕｐｌｅｄＤｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。第１群レンズ１１は第１群レンズ鏡枠２１によって保持され、第２群レンズ１２は第２群レンズ鏡枠２２によって保持され、第３群レンズ１３は第３群レンズ枠２３によって保持されている。固定胴４１に回転自在に保持されたカム筒３１は、内側にカム溝３１１及びカム溝３１２を形成し、カム溝３１１に第１群レンズ鏡枠２１の外径に取り付けたピン２１１をカム係合すると共に、カム溝３１２に第２群レンズ鏡枠２２の外径に取り付けたピン２２１をカム係合している。
【００２９】
この第１群レンズ鏡枠２１及び第２群レンズ鏡枠２２は、公知の図示しない直進案内部材とも係合しているため、カム筒３１が回転すると、それぞれ光軸方向に直進移動するような構成となっている。
【００３０】
被写体光は第１群レンズ１１、第２群レンズ１２、及び第３群レンズ１３により構成された撮影レンズにより撮像素子１５に結像して光電変換される。なお、偽色やモアレを防止するため、被写体光の高周波成分は光学フィルタ１４によって除去される。
【００３１】
カム筒３１は固定胴４１に回転自在に保持され、カム筒３１の外径に形成された歯車部３１３が図示しないズーミング用モータに連結されたズーミング用歯車Ｇ１に噛み合っている。固定胴４１は、ねじＮ１により地板４２と一体的に固定され、ねじＮ２によりカメラ本体のフレーム５０に固定される。地板４２には撮像素子保持手段である撮像素子保持部４２１、４２２が形成されている。
【００３２】
第２群レンズ鏡枠２２の第２群レンズ１２近傍には、例えば絞り値が切り換え可能でシャッタ機能を司る絞りシャッタユニットＳＳが配設され、該絞りシャッタユニットＳＳに備えられた絞りシャッタ部材ＳＳ１が第２群レンズ１２の前面に位置する構成となっている。
【００３３】
第１群レンズ１１、第２群レンズ１２、及び第３群レンズ１３で構成される撮影レンズはズームレンズであって、ズーミング操作により前記ズーミング用モータが回転してズーミング用歯車Ｇ１を回転させ、カム筒３１が回転されて第１群レンズ１１及び第２群レンズ１２が図３に示す沈胴状態から繰り出され、図示しない最も広角の位置となり、更なるズーミング操作によって、図２に示す最も望遠の位置までそれぞれ移動する。なお、レンズ鏡胴を最も望遠の位置から沈胴した状態にするときは、上述の逆の動作になる。
【００３４】
撮像素子１５は撮像素子取付部材１６に接着剤等により接着され、撮像素子取付部材１６は取付穴（後述）を介して取付部材固定ネジＮ３により地板４２の撮像素子保持部４２１、４２２に取り付けられる。プリント基板１７は半田付けにより撮像素子１５のリード（後述）に接合される。撮像素子１５、撮像素子取付部材１６、及びプリント基板１７の取り付けについては、後で詳しく説明する。
【００３５】
地板４２の前面には、第３群レンズ枠用ガイド軸４２３とフォーカシングモータＭ１とが取り付けられており、フォーカシングモータＭ１のモータ軸にはスクリューＧ２が固設されている。第３群レンズ枠２３の一方には第３群レンズ枠用ガイド軸４２３に嵌合するガイド穴２３１が形成され、他方にはスクリューＧ２と係合するナット部２３２が形成されており、第３群レンズ枠２３は該ガイド穴が第３群レンズ枠用ガイド軸４２３に嵌合して摺動自在に保持される。
【００３６】
フォーカシング操作（例えばスイッチＳ１のＯＮ）によりフォーカシングモータＭ１が駆動されると、スクリューＧ２の回転動作は、ナット部２３２がスクリューＧ２と係合しているため、第３群レンズ枠２３の光軸方向への直進動作に変換されて焦点調節がなされる。
【００３７】
図４は、このように構成されたレンズ鏡胴のカム筒の回転角に対する第１群レンズと第２群レンズの光軸方向の移動量を示すグラフである。
【００３８】
図４において、実線ａはカム筒３１の回転角に対する第１レンズ鏡枠２１の移動量を示し、破線ｂはカム筒３１の回転角に対する第２レンズ鏡枠２２の移動量を示す。Ｔはカム筒３１が最も望遠側の位置に達したときの回転角を示し、Ｗはカム筒３１が最も広角側の位置に達したときの回転角を示している。
【００３９】
また、図示していないが、カム筒３１の回転角を検知する検知手段やこの検知結果に基づく駆動制御は公知の制御方法であり、詳細な説明は省略する。
【００４０】
図５は本発明に係る撮像素子、撮像素子取付部材、及びプリント基板の接続についての実施の形態を説明するための背面図であり、図６は図５から撮像素子、撮像素子取付部材、及びプリント基板だけを取り出した模式的斜視図、図７は図５の部分断面図である。以下、図５〜図７を用いて説明する。
【００４１】
撮像素子取付部材１６は金属板をコの字に曲げて形成し、撮像素子１５を取り付ける第１の取付面１６１には開口部１６０と取付穴１６３とを設けており、立ち上がり部１６５を介し第１の取付面１６１と平行に形成された二つの第２の取付面１６２には取付穴１６４がそれぞれ形成されている。
【００４２】
撮像素子１５と撮像素子取付部材１６との結合、及び撮像素子１５のプリント基板１７との電気的及び機械的接合は図示しない位置決め治具を用いて行っている。即ち、撮像素子１５と撮像素子取付部材１６とは、該位置決め治具により両者の位置を仮固定した状態で、撮像素子取付部材１６の開口部１６０の開口端面と該開口端面に接した撮像素子１５の一方の面とで形成されるコーナー部に接着剤を流し込むことにより結合される。次に、撮像素子１５とプリント基板１７とは該位置決め治具により両者の位置を仮固定した状態で、撮像素子のリードＬＥとプリント基板のランド（不図示）とを半田付けすることにより電気的及び機械的に接続される。この結果、図７に示すように、撮像素子のリードＬＥに半田付けされた平板状のプリント基板１７は、撮像素子取付部材１６の第１の取付面１６１と第２の取付面１６２との中間に配設されることになる。
【００４３】
かくして、一体となった、撮像素子１５、プリント基板１７、及び撮像素子取付部材１６は、撮像素子保持部４２１、４２２を有する地板４２（図２、３参照）に取り付けた位置決めピン（不図示）に撮像素子取付部材１６に形成した位置決め用穴（不図示）を嵌合させることにより撮像素子１５の位置が正確に設定され、撮像素子取付部材１６の取付穴１６３、１６４を介して取付部材固定ねじＮ３により前記地板４２の撮像素子保持部４２１、４２２に固定される。
【００４４】
図５から判るように、光軸方向から見たとき、撮像素子取付部材１６の二つの第２の取付面のそれぞれに形成された二つの取付穴１６４の中心を結ぶ直線Ａは撮像素子１５に重なる状態であり、撮像素子取付部材１６と画像表示部１００とは重ならない位置関係にある。一方、撮像素子取付部材１６と画像表示部１００との位置関係を光軸と直角な水平方向から見たときは、図２、図３から、画像表示部１００と撮像素子取付部材１６とが重なる位置関係にあることが解る。
【００４５】
従来は、図１０に示したように、撮像素子取付部材１６と画像表示部１００との間に、撮像素子取付部材１６やネジＮがあり、表示部１００をそれ以上光軸に近づけることができなかった。然るに、本発明に基づく、光軸と直角な方向から見て、撮像素子取付部材１６の第１の取付面１６１と第２の取付面１６２とを異なる平面上に形成し、光軸方向から見て、二つの取付穴１６４を結ぶ直線Ａが撮像素子１５に重なる位置に配設した構成により、画像表示部１００を撮像素子１５に接触しない限度まで近接させて配置することが可能となった。また、光軸と直角な方向から見たときの撮像素子取付部材１６と画像表示部１００との位置関係を重なる構成としたことにより、カメラの薄型化も可能にした。
【００４６】
図８は本発明に係る撮像素子取付部材のもう一つの実施の形態を説明するための模式的斜視図である。図６で説明した実施の形態と構成が似ているため、構成する部材の符番及び名称を同一とし、説明を省略する。図６の実施の形態と異なる点は、撮像素子取付部材１６の形状が違う点（図６ではコの字曲げで曲げ箇所が２カ所であるのに対し、図８では左右対称のクランク状の曲げで曲げ箇所が４カ所となっている。）であり、これに伴いプリント基板１７の形状も変えている。しかしながら、撮像素子取付部材１６は、撮像素子１５を取り付ける第１の取付面１６１と、第１の取付面１６１と平行に形成された二つの第２の取付面１６２とを備え、第１の取付面１６１には開口部１６０と取付穴１６３とを設けており、二つの第２の取付面１６２のそれぞれには取付穴１６４が形成されている点は同じである。また、撮像素子のリードＬＥに半田付けされた平板状のプリント基板１７が、撮像素子取付部材１６の第１の取付面１６１と第２の取付面１６２との中間に配設されることも同じである。その他の構成についても同一であり、図６で説明した実施の形態と同様に、光軸方向から見て画像表示部１００を撮像素子取付部材１６に近接して配置することができるため、従来のカメラに比して小型化及び薄型化が可能となる。更に、図８の撮像素子取付部材１６には、図６の撮像素子取付部材１６に形成されているような、画像表示部１００に対向する立ち上がり部１６５の壁がないため、立ち上がり部１６５と画像表示部１００の位置決め部１０１との干渉がなく、画像表示部１００を一層光軸側へ近づけることが可能となる。
【００４７】
図９は本発明に係る撮像素子取付部材の他の実施の形態を説明するための模式的斜視図である。図８で説明したもう一つの実施の形態と同様に、図６で説明した実施の形態と構成が似ているため、構成する部材の符番及び名称を同一とし、説明を省略する。図６の実施の形態と異なる点は、撮像素子取付部材１６の形状が違う点（図９ではクランク状の曲げで曲げ箇所が２カ所である。）であり、これに伴いプリント基板１７の形状も変えている。しかしながら、図８の実施の形態と同様に、撮像素子取付部材１６は、第１の取付面１６１と第１の取付面１６１と平行に形成された二つの第２の取付面１６２とを備え、第１の取付面１６１には開口部１６０と取付穴１６３とを設けており、二つの第２の取付面１６２のそれぞれには取付穴１６４が形成されている点は同じであるが、本実施の形態では、第１の取付面１６１の開口部１６０と取付穴１６３の数がそれぞれ２個となっている。また、撮像素子のリードＬＥに半田付けされた平板状のプリント基板１７が、撮像素子取付部材１６の第１の取付面１６１と第２の取付面１６２との中間に配設されるという構成も同じである。その他の構成についても同一であり、図６で説明した実施の形態と同様に、光軸方向から見て画像表示部１００を撮像素子取付部材１６に近接して配置することができ、従来のカメラに比して小型化及び薄型化が可能となる。図９の撮像素子取付部材１６は、図８の撮像素子取付部材１６と同様に、図６で示した立ち上がり部１６５の壁がないため、画像表示部１００を光軸側へより近づけることが可能である。
【００４８】
本実施の形態では、ズームレンズを例に挙げ説明したが、単焦点レンズ等においても本発明が適用可能であることは言うまでもない。
【００４９】
【発明の効果】
本発明に基づく構成によれば、画像表示部を光軸方向で撮像素子に重ねずに、撮像素子にギリギリまで近接させて配置することが可能となり、カメラの小型化及び薄型化が可能となる。
【図面の簡単な説明】
【図１】本発明の撮像装置を備えたズームレンズ搭載のカメラの外観図の一例である。
【図２】撮影時にレンズ鏡胴を望遠端まで繰り出した状態を示す撮像装置の縦断面図である。
【図３】非使用時にレンズ鏡胴を沈胴した状態を示す撮像装置の縦断面図である。
【図４】カム筒の回転角に対する第１群レンズと第２群レンズの光軸方向の移動量を示すグラフである。
【図５】本発明に係る撮像素子、撮像素子取付部材、及びプリント基板の接続についての実施の形態を説明するための背面図である。
【図６】図５から撮像素子、撮像素子取付部材、及びプリント基板だけを取り出した模式的斜視図である。
【図７】図５の部分断面図である。
【図８】本発明に係る撮像素子取付部材のもう一つの実施の形態を説明するための模式的斜視図である。
【図９】本発明に係る撮像素子取付部材の他の実施の形態を説明するための模式的斜視図である。
【図１０】従来のカメラの撮像装置と画像表示部との位置関係を説明するための背面図である。
【符号の説明】
１５  撮像素子
１６  撮像素子取付部材
１６１  第１の取付面
１６２  第２の取付面
１６３，１６４  取付穴
１７  プリント基板
４１  固定胴
４２  地板
４２１，４２２  撮像素子保持部
１００  画像表示部（表示装置）
Ｎ３  取付部材固定ねじ
【図１】
2004357122.tif 000003
【図２】
2004357122.tif 000004
【図３】
2004357122.tif 000005
【図４】
2004357122.tif 000006
【図５】
2004357122.tif 000007
【図６】
2004357122.tif 000008
【図７】
2004357122.tif 000009
【図８】
2004357122.tif 000010
【図９】
2004357122.tif 000011
【図１０】
2004357122.tif 000012